(57)【要約】【課題】安定した接触と、プローブとＧＮＤチップの距離を容易に調整決定できるプローブアタッチメントを実現する。【解決手段】プローブチップを有するプローブ本体と、このプローブ本体に設けられたＧＮＤチップとを具備するプローブアタッチメントにおいて、前記プローブ本体に設けられた取付けブロックと、前記取付けブロックに一端側が接続され前記プローブ本体に平行に設けられた第１のリンクと、この第１のリンクの他端に一端が軸支された第２のリンクと、この第２のリンクの一端側に途中が取り付けられたＧＮＤチップと、前記取付けブロックに設けられ前記第２のリンクの他端を動かして前記ＧＮＤチップの先端が前記第２のリンクの一端を中心に回動し前記ＧＮＤチップの先端と前記プローブチップの先端との距離が決定される距離決定手段とを具備したことを特徴とするプローブアタッチメントである。【選択図】図１
2009115723.tif 000002
【特許請求の範囲】
【請求項１】
プローブチップを有するプローブ本体と、このプローブ本体に設けられたＧＮＤチップとを具備するプローブアタッチメントにおいて、
前記プローブ本体に設けられた取付けブロックと、
前記取付けブロックに一端側が接続され前記プローブ本体に平行に設けられた第１のリンクと、
この第１のリンクの他端に一端が軸支された第２のリンクと、
この第２のリンクの一端側に途中が取り付けられたＧＮＤチップと、
前記取付けブロックに設けられ前記第２のリンクの他端を動かして前記ＧＮＤチップの先端が前記第２のリンクの一端を中心に回動し前記ＧＮＤチップの先端と前記プローブチップの先端との距離が決定される距離決定手段と
を具備したことを特徴とするプローブアタッチメント。
【請求項２】
前記距離決定手段は、前記取付けブロックに一端側の底面が接続され断面コの字の第１のリンクと、
前記第２のリンクの他端に一端が回転自由に設けられた柱状のピボットブロックと、
このピボットブロックの周面を貫通して設けられたねじ孔と、
前記第１のリンクの底面に軸方向に設けられたスリットと、
一端にダイヤルが取付けられ途中が前記スリットに挿入され他端側が前記ねじ孔にねじ合わされるダイヤル付きねじと、
このダイヤル付きねじが前記スリットに沿って移動する移動保持手段と
を具備したことを特徴とする請求項１記載のプローブアタッチメント。
【請求項３】
前記移動保持手段は、前記ダイヤル付きねじに設けられたとめ輪を有すること
を特徴とする請求項２記載のプローブアタッチメント。
【発明の詳細な説明】
【技術分野】
【０００１】
本発明は、プローブアタッチメントに関するものである。
特に、オシロスコープのプローブで、数百ＭＨｚ程度の周波数帯域を観測するときに好適なプローブアタッチメントに関するものである。
更に詳述すれば、安定した接触が得られ、ＧＮＤチップの先端とプローブチップの先端との距離を確実に容易に調整決定でき、調整決定したチップ間の距離を一定に保つことができるプローブアタッチメントに関するものである。
【背景技術】
【０００２】
プローブアタッチメントに関連する先行技術文献としては次のようなものがある。
【０００３】
【特許文献１】実開平０５−０５９３２４号公報
【０００４】
１００ＭＨｚを超える高周波の波形を観測するには、測定箇所にプローブチップを当てると同時に測定箇所直近のＧＮＤをプローブのＧＮＤチップに当てる必要がある。
図６、図７、図８、図９は従来より一般に使用されている従来例の要部構成説明図である。
【０００５】
図６においては、プローブ本体１の先端部分は、図６のようにプローブチップ２の直近にワイヤを巻きつけてＧＮＤチップ３とする構造、図７のようにプローブチップ２の直近に巻きつけたワイヤ４に針５を付けＧＮＤチップとして、ＧＮＤを当たりやすくする構造。
【０００６】
また、図８のようにあらかじめＧＮＤ端子６が用意されＧＮＤチップ７が取付けられたプローブを使用する構造、図９のようにプローブチップ８とＧＮＤチップ９が別体で、プローブチップ８とＧＮＤチップ９の途中がヒンジ１１で連結され、チップ間の距離を調整できる構造にするなどがある。
【発明の開示】
【発明が解決しようとする課題】
【０００７】
このような装置においては、以下の間題点がある。
図６、図７、図８の構造では測定を行う際に、測定箇所とＧＮＤにプローブのそれぞれのチップが接触するようにＧＮＤチップを変形させる必要があるが、ワイヤがバネ成分を持っているため、手の微妙な力加減で接触状態が変わってしまう。
【０００８】
また、高密度実装が行われている基板の場合、プローブのＧＮＤチップが信号線と接触することによる回路素子へのダメージ、電源線との接触によるスパークの危険性が存在する。
【０００９】
図８の構造では上記の問題は存在しないが、やはり、あらかじめチップ間の距離を調整する必要があり、連続して異なる信号の波形を観測するには効率が悪い。また、チップ間の距離を大きくすることができない。またこのようなプローブはＧＨｚ帯域の測定が可能なため通常のプローブと比べ高価である。
【００１０】
本発明の目的は、上記の課題を解決するものである。
バネ成分による接触状態の変化を無くし安定した接触を可能にする。
チップ間の距離を容易に変えられるようにし、連続して異なる箇所の波形観測を効率よく行えるようにする。
また、調整決定したチップ間の距離を一定に保つことができる。
通常の形状のプローブに取り付けることで安価な構成を可能にする。
以上の如きプローブアタッチメントを提供することにある。
【課題を解決するための手段】
【００１１】
このような課題を達成するために、本発明では、請求項１のプローブアタッチメントにおいては、
プローブチップを有するプローブ本体と、このプローブ本体に設けられたＧＮＤチップとを具備するプローブアタッチメントにおいて、前記プローブ本体に設けられた取付けブロックと、前記取付けブロックに一端側が接続され前記プローブ本体に平行に設けられた第１のリンクと、この第１のリンクの他端に一端が軸支された第２のリンクと、この第２のリンクの一端側に途中が取り付けられたＧＮＤチップと、前記取付けブロックに設けられ前記第２のリンクの他端を動かして前記ＧＮＤチップの先端が前記第２のリンクの一端を中心に回動し前記ＧＮＤチップの先端と前記プローブチップの先端との距離が決定される距離決定手段とを具備したことを特徴とする。
【００１２】
本発明の請求項２のプローブアタッチメントにおいては、請求項１記載のプローブアタッチメントにおいて、
前記距離決定手段は、前記取付けブロックに一端側の底面が接続され断面コの字の第１のリンクと、前記第２のリンクの他端に一端が回転自由に設けられた柱状のピボットブロックと、このピボットブロックの周面を貫通して設けられたねじ孔と、前記第１のリンクの底面に軸方向に設けられたスリットと、一端にダイヤルが取付けられ途中が前記スリットに挿入され他端側が前記ねじ孔にねじ合わされるダイヤル付きねじと、このダイヤル付きねじが前記スリットに沿って移動する移動保持手段とを具備したことを特徴とする。
【００１３】
本発明の請求項３のプローブアタッチメントにおいては、請求項２記載のプローブアタッチメントにおいて、
前記移動保持手段は、前記ダイヤル付きねじに設けられたとめ輪を有することを特徴とする。
【発明の効果】
【００１４】
本発明の請求項１によれば、次のような効果がある。
距離決定手段を操作することにより、ばね成分による接触状態の変動を無くし、安定した接触を可能にするプローブアタッチメントが得られる。
距離決定手段を操作することにより、ＧＮＤチップの先端とプローブチップの先端との距離を確実に容易に調整決定することができるプローブアタッチメントが得られる。
【００１５】
調整決定したチップ間の距離を一定に保つことができるプローブアタッチメントが得られる。
専用のプローブを購入することなく、従来のプローブに付加することにより利便性を上げることができるプローブアタッチメントが得られる。
【００１６】
本発明の請求項２によれば、次のような効果がある。
距離決定手段は、取付けブロックに一端側の底面が接続され断面コの字の第１のリンクと、第２のリンクの他端に一端が回転自由に設けられた柱状のピボットブロックと、このピボットブロックの周面を貫通して設けられたねじ孔と、第１のリンクの底面に軸方向に設けられたスリットと、一端にダイヤルが取付けられ途中がスリットに挿入され他端側がねじ孔にねじ合わされるダイヤル付きねじと、ダイヤル付きねじがスリットに沿って移動する移動保持手段とが設けられた。
【００１７】
したがって、ＧＮＤチップの先端とプローブチップの先端との距離をダイヤル付きねじの操作により、確実に容易に調整決定することができるプローブアタッチメントが得られる。
【００１８】
ダイヤル付きねじとねじ孔との組み合わせにより、調整決定したチップ間の距離を一定に保つことができるプローブアタッチメントが得られる。
専用のプローブを購入することなく、従来のプローブに付加することにより利便性を上げることができるプローブアタッチメントが得られる。
【００１９】
本発明の請求項３によれば、次のような効果がある。
移動保持手段は、ダイヤル付きねじに設けられたとめ輪を有するので、構成が簡単となり、安価なプローブアタッチメントが得られる。
【発明を実施するための最良の形態】
【００２０】
以下本発明を図面を用いて詳細に説明する。
図１は本発明の一実施例の要部構成説明図、図２は図１の側面図、図２は図１の平面図、図３は図２のＡ-Ａ要部断面図、図４は図１の動作説明図である。
【００２１】
図１において、プローブ本体２１は、プローブチップ２２を有する。
取付けブロック２３は、プローブ本体２１に設けられている。
第１のリンク２４は、取付けブロック２３に一端側の底面が接続され、プローブ本体２１に平行に設けられ断面コの字をなす。
第２のリンク２５は、第１のリンク２４の他端に一端が軸支２５１されている。
この場合は、ピボット２５１が使用されている。
【００２２】
ＧＮＤチップ２６は、図４に示す如く、第２のリンク２５の一端側に途中が取り付けられ、導電性を有するワイヤにより作られプローブ本体２１のＧＮＤ部分に接続されている。
距離決定手段２７は、取付けブロック２３に設けられ、第２のリンク２５の他端を動かして、ＧＮＤチップ２６の先端が第２のリンク２５の一端を中心に回動し、ＧＮＤチップ２６の先端とプローブチップ２２の先端との距離が決定される。
【００２３】
前記距離決定手段２７は、図５に示す如く、この場合は、ピボットブロック２７１、ねじ孔２７２、スリット２７３、ダイヤル２７４、ダイヤル付きねじ２７５と移動保持手段２７６とを有する。
ピボットブロック２７１は、第２のリンク２５の他端に一端が回転自由に設けられ柱状をなす。
ねじ孔２７２は、ピボットブロック２７１の周面を貫通して設けられている。
【００２４】
スリット２７３は、第１のリンク２４の底面に第１のリンク２４の軸方向に設けられている。
ダイヤル付きねじ２７５は、一端にダイヤル２７４が取付けられ、途中がスリット２７３に挿入され、他端側がねじ孔２７２にねじ合わされている。
【００２５】
このダイヤル付きねじ２７５が、スリット２７３に沿って移動する。
前記移動保持手段２７６は、この場合は、ダイヤル付きねじ２７５に設けられたとめ輪２７７を有する。
【００２６】
以上の構成において、図５に示す如く、ダイヤル２７４を回すことにより、第２のリンク２５２に矢印Ａに示す如く、図の左右方向に力が加わる。
この力により第２のリンク２５が回転する。
このときにスリット２７３により、ダイヤル付きネジ２７５は、矢印Ｂに示す如く、図の上下方向に移動し、ピボットブロック２７１は自身が回転する。
【００２７】
第２のリンク２５が回転することにより、第２のリンク２５の内部を通っているＧＮＤチップ２６の先端も円軌道を描く。
以上により、ダイヤル２７４を回すことにより、プローブチップ２２とＧＮＤチップ２６の間の距離を調整することができる。
【００２８】
この結果、
距離決定手段２７を操作することにより、ばね成分による接触状態の変動を無くし、安定した接触を可能にするプローブアタッチメントが得られる。
距離決定手段２７を操作することにより、ＧＮＤチップ２６の先端とプローブチップ２２の先端との距離を確実に容易に調整決定することができるプローブアタッチメントが得られる。
【００２９】
調整決定したチップ２２，２６間の距離を一定に保つことができるプローブアタッチメントが得られる。
専用のプローブを購入することなく、従来のプローブに付加することにより利便性を上げることができるプローブアタッチメントが得られる。
【００３０】
距離決定手段２７は、取付けブロック２３に一端側の底面が接続され断面コの字の第１のリンク２４と、第２のリンク２５の他端に一端が回転自由に設けられた柱状のピボットブロック２７１と、このピボットブロック２７１の周面を貫通して設けられたねじ孔２７２と、第１のリンク２４の底面に軸方向に設けられたスリット２７３と、一端にダイヤル２７４が取付けられ途中がスリット２７３に挿入され他端側がねじ孔２７２にねじ合わされるダイヤル付きねじ２７５と、ダイヤル付きねじ２７５がスリット２７３に沿って移動する移動保持手段２７６とが設けられた。
【００３１】
したがって、ＧＮＤチップ２６の先端とプローブチップ２２の先端との距離をダイヤル付きねじ２７５の操作により、確実に容易に調整決定することができるプローブアタッチメントが得られる。
【００３２】
ダイヤル付きねじ２７５とねじ孔２７２との組み合わせにより、調整決定したチップ間の距離を一定に保つことができるプローブアタッチメントが得られる。
専用のプローブを購入することなく、従来のプローブに付加することにより利便性を上げることができるプローブアタッチメントが得られる。
【００３３】
移動保持手段２７６は、ダイヤル付きねじ２７５に設けられたとめ輪２７７を有するので、構成が簡単となり、安価なプローブアタッチメントが得られる。
【００３４】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００３５】
【図１】本発明の一実施例の要部構成説明図である。
【図２】図１の側面図である。
【図３】図１の平面図である。
【図４】図２のＡ-Ａ要部断面図である。
【図５】図１の動作説明図である。
【図６】従来より一般に使用されている従来例の構成説明図である。
【図７】従来より一般に使用されている他の従来例の構成説明図である。
【図８】従来より一般に使用されている他の従来例の構成説明図である。
【図９】従来より一般に使用されている他の従来例の構成説明図である。
【符号の説明】
【００３６】
１      プローブ本体
２      プローブチップ
３      ＧＮＤチップ
４      ワイヤ
５      針
６      ＧＮＤ端子
７      ＧＮＤチップ
８      プローブチップ
９      ＧＮＤチップ
１１    ヒンジ
２１    プローブ本体
２２    プローブチップ
２３    取付けブロック
２４    第１のリンク
２５    第２のリンク
２５１  ピボット
２６    ＧＮＤチップ
２７    距離決定手段
２７１  ピボットブロック
２７２  ねじ孔
２７３  スリット
２７４  ダイヤル
２７５  ダイヤル付きねじ
２７６  移動保持手段
２７７  とめ輪
【図１】
2009115723.tif 000003
【図２】
2009115723.tif 000004
【図３】
2009115723.tif 000005
【図４】
2009115723.tif 000006
【図５】
2009115723.tif 000007
【図６】
2009115723.tif 000008
【図７】
2009115723.tif 000009
【図８】
2009115723.tif 000010
【図９】
2009115723.tif 000011